(57)【特許請求の範囲】
【請求項１】
本体筐体に形成された吸込口と吐出口とを結ぶ空気通路に脱臭フィルタと送風機とを設けてなる空気清浄機において、前記脱臭フィルタの風上側に粉塵を捕集する集塵フィルタと、同集塵フィルタの風上側に周囲に網目状の光触媒部を設けた紫外線ランプと、同紫外線ランプの風上側に風下側を開放して同紫外線ランプを覆うカバーとを設けると共に、
前記吸込口を形成した前面パネルを前記本体筐体の前面に着脱自在に設けて成り、同前面パネルに前記カバーを一体に形成して成ることを特徴とする空気清浄機。
【発明の詳細な説明】
【０００１】
【発明の属する技術分野】
本発明は、悪臭や有毒ガスを除去する空気清浄機に係わり、とくに、光触媒を使用した空気清浄機に関する。
【０００２】
【従来の技術】
従来、例えば図１の外観図で示すような空気清浄機は、特開平４−２６８８５号公報や特開平６−３０４４２７号公報に示されるように、専ら空気中のホコリ微粒子を捕集する目的で製作され、あわせて付加的に脱臭を行うように製作されていた。しかし、このような従来の空気清浄機では、次のような問題があった。一つは空気中の強い悪臭成分の除去ができなかった。さらにもう一つは、空気中にはせき、くさめ、会話などによる飛沫や、塵埃に付着して浮遊している空中細菌・雑菌の類が多数存在するが、これらの除去がほとんどできなかった。また、上記従来の問題点を解決するため、図１及び図５に示すように、本体筐体１に形成された吸込口２と吐出口３とを結ぶ空気通路４に集塵フィルタ５と、活性炭を使用した脱臭フィルタ６と送風機７とを設け、前記脱臭フィルタ６の風下側に紫外線ランプ８と同紫外線ランプ８の周囲に、同紫外線ランプ８により励起される酸化チタンを基材に保持して成る網目状の光触媒層でなる光触媒部９とを設けた空気清浄機が発明されている。前記集塵フィルタ５は比較的粒子の大きな粉塵や煙を取り除くことができるが、悪臭の原因となるガス状の物質や比較的粒子の小さな高沸点の物質を取り除くことができないという特性をもっている。また、前記活性炭を使用した脱臭フィルタ６は極性の大きい物質や高沸点の物質、並びに高濃度の極性の小さい物質を取り除くことができるが、低濃度の極性の小さい物質や低沸点の物質を取り除くことができないという特性を持っている。また、前記光触媒層は極性の小さい物質や低沸点の物質を吸着し易く、極性の小さい物質や高沸点の物質の付着によりその性能が劣化してしまうという特性を持っている。従って、上記構成では、粉塵や煙、高濃度の極性の小さい物質や極性の大きい物質または高濃度の高沸点の物質が通過すると、集塵フィルタ５と、活性炭を使用した脱臭フィルタ６とに吸着して殆ど取り除くことができるが、極性の小さい物質や極性の大きい物質、または高沸点の物質の濃度が下がると、これらが活性炭を使用した脱臭フィルタ６から放出され、光触媒層でなる光触媒部９に到達し、同光触媒部９に付着されるため、光触媒層の性能が劣化して本来の脱臭効果を発揮できなくなるという欠点を有していた。
【０００３】
【発明が解決しようとする課題】
本発明は以上述べた問題点を解決し、光触媒層の性能劣化を防止し、高性能の脱臭効率と、高メンテナンスを備えた空気清浄機を提供することを目的としている。
【０００４】
【課題を解決するための手段】
本発明は上述の課題を解決するため、本体筐体に形成された吸込口と吐出口とを結ぶ空気通路に脱臭フィルタと送風機とを設けてなる空気清浄機において、前記脱臭フィルタの風上側に粉塵を捕集する集塵フィルタと、同集塵フィルタの風上側に周囲に網目状の光触媒部を設けた紫外線ランプと、同紫外線ランプの風上側に風下側を開放して同紫外線ランプを覆うカバーとを設けると共に、前記吸込口を形成した前面パネルを前記本体筐体の前面に着脱自在に設けて成り、同前面パネルに前記カバーを一体に形成して成る空気清浄機としている。
【０００５】
【０００６】
【０００７】
【０００８】
【０００９】
【００１０】
【００１１】
【００１２】
【発明の実施の形態】
以上のように、本発明の空気清浄機においては、脱臭フィルタの風上側に粉塵を捕集する集塵フィルタと、同集塵フィルタの風上側に紫外線ランプと同紫外線ランプの周囲に網目状の光触媒部とを設け、同光触媒部の風上側に風下側を開放して同光触媒部を覆うカバーを設け、また、前記集塵フィルタの風上側に粉塵またはガスの量を検出する粉塵センサまたはガスセンサを設ける一方、同粉塵センサまたはガスセンサより出力される検出信号により前記送風機の回転数を制御する制御部を設け、粉塵またはガスが多い場合は風量を多くし、粉塵またはガスが少ない場合は風量を少なくするようにしたので、粉塵またはガスが多い場合は悪臭分子の拡散を妨げて光触媒部への到達を防止して活性炭フィルタで効率よく脱臭し、粉塵またはガスが少ない場合は悪臭分子の拡散を促進して光触媒部へ到達させて、効率よく脱臭することができる。
【００１３】
以下、図面に基づいて本発明による空気清浄機を詳細に説明する。図１は本発明に係る空気清浄機の外観図、図２は本発明による空気清浄機の一実施例を示す要部断面図、図３、図４は本発明による空気清浄機の他の実施例を示す要部拡大図である。図１及び図２に示すように、本体筐体１に形成された吸込口２と吐出口３とを結ぶ空気通路４に集塵フィルタ５と、活性炭を使用した脱臭フィルタ６と送風機７とを設け、前記集塵フィルタ５の風上側に紫外線ランプ８と同紫外線ランプ８の周囲に、同紫外線ランプ８により励起される酸化チタンを基材に保持して成る網目状の光触媒層でなる光触媒部９とを配設している。前記送風機７の風上側にはベルマウス７ａが形成されている。そして、前記光触媒部９の風上側に風下側を開放して同光触媒部９を覆うコ字状のカバー１０を設けている。このカバー１０は内面を前記紫外線ランプ８からの光を反射する鏡面としている。また、前記吸込口２には粒子の大きな粉塵を捕集するプレフィルタ５ａを設けてもよい。そして、前記集塵フィルタ５の風上側には粉塵の量を検出する粉塵センサ１２またはガスを検出するガスセンサ１３を設ける一方、同粉塵センサ１２またはガスセンサ１３より出力される検出信号により前記送風機７の回転数を制御する制御部１４を設け、粉塵が多い場合は風量を多くし、粉塵が少ない場合は風量を少なくするようにしている。また、カバー１０は図３に示すように半円筒状に形成し、反射した光を光触媒部９に集中するようにしてもよい。
【００１４】
また、図４に示すように、前記吸込口２を形成した前面パネル１１を本体筐体１の前面に着脱自在に設け、同前面パネル１１に前記カバー１０を一体に形成することにより、前記光触媒部９を洗浄する際、前面パネル１１を外すことにより、前記光触媒部９を覆うカバー１０を簡単に退けられるようにしている。
【００１５】
以上の構成において、つぎにその動作を説明する。今、吸込口２から、汚れた室内空気が取り込まれると、先ず、前記粉塵センサ１２またはガスセンサ１３により、その濃度が検出され、制御部１４によりその濃度が高い場合は、前記送風機７の回転を上げて、風量を増やし、その濃度が低い場合は、前記送風機７の回転を上げて、風量を減らすように制御される。以上のように制御されるので、粉塵やガスの濃度が大きい場合は、前記カバー１０に通風される風量が増え、これら粉塵やガスはカバー１０内の光触媒部９に拡散されず、そのまま集塵フィルタ５に達して粉塵が捕集され、これを通過した濃度の高いガスは活性炭を使用した脱臭フィルタ６に達して吸着され、清浄な空気が吐出口３から室内に戻される。また、粉塵やガスの濃度が小さい場合は、前記カバー１０に通風される風量が減り、ガスはカバー１０に覆われた光触媒部９に拡散され、同光触媒部９にて脱臭され、粉塵は集塵フィルタ５で捕集されて清浄化され、この清浄な空気が吐出口３から室内に戻される。
【００１６】
以上の説明で理解されるように、例えば、タバコの煙等で室内空気が汚れている場合は、送風機７の回転を上げて風量を増やすので、タバコのヤニ等粒状成分はカバー１０で覆われた光触媒部９に拡散されずに集塵フィルタ５で捕集されるので光触媒部９のよごれを防止することができる。そして、空気中の粉塵や煙、悪臭成分が減少してくると、前記カバー１０に通風される風量が減り、悪臭成分であるガスがカバー１０に覆われた光触媒部９に拡散され、同光触媒部９にて効率よく脱臭される。
【００１７】
即ち、本発明は、比較的空気の汚れの少ない時は、活性炭による脱臭効率が落ち、光触媒層による脱臭効率が上がることに注目して脱臭効率を高め、また、風量によってガスの拡散が変化することを利用して光触媒部の寿命を長くするようにしたものである。
【００１８】
【発明の効果】
以上説明したように、本発明による空気清浄機によれば、脱臭フィルタの風上側に粉塵を捕集する集塵フィルタと、同集塵フィルタの風上側に紫外線ランプと同紫外線ランプの周囲に網目状の光触媒部とを設け、同光触媒部の風上側に風下側を開放して同光触媒部を覆うカバーを設け、また、前記集塵フィルタの風上側に粉塵またはガスの量を検出する粉塵センサまたはガスセンサを設ける一方、同粉塵センサまたはガスセンサより出力される検出信号により前記送風機の回転数を制御する制御部を設け、粉塵またはガスが多い場合は風量を多くし、粉塵またはガスが少ない場合は風量を少なくするようにしたので、粉塵またはガスが多い場合は悪臭分子の拡散を妨げて光触媒部への到達を防止して活性炭フィルタで効率よく脱臭し、粉塵またはガスが少ない場合は悪臭分子の拡散を促進して光触媒部へ到達させて、効率よく脱臭することができる。
【図面の簡単な説明】
【図１】本発明に係る空気清浄機の外観斜視図である。
【図２】本発明による空気清浄機の一実施例を示す要部断面図である。
【図３】本発明による空気清浄機の他の実施例を示す要部拡大図である。
【図４】本発明による空気清浄機の他の実施例を示す要部拡大図である。
【図５】従来の空気清浄機を示す要部断面図である。
【符号の説明】
１  筐体
２  吸込口
３  吐出口
４  空気通路
５  集塵フィルタ
５ａ  プレフィルタ
６  脱臭フィルタ
７  送風機
８  紫外線ランプ
９  光触媒部
１０  カバー
１１  前面パネル
１２  粉塵センサ
１３  ガスセンサ
１４  制御部
【図１】
0004310873.tif 000002
【図２】
0004310873.tif 000003
【図３】
0004310873.tif 000004
【図４】
0004310873.tif 000005
【図５】
0004310873.tif 000006